【手続補正書】
【提出日】令和1年10月10日(2019.10.10)
【手続補正１】
【補正対象書類名】特許請求の範囲
【補正対象項目名】全文
【補正方法】変更
【補正の内容】
【特許請求の範囲】
【請求項１】
ウェット・コンパートメントとともに使用されるアンチ・ファウリング・システムであって、前記ウェット・コンパートメントは、水が前記ウェット・コンパートメントに進入することを可能にするための少なくとも１つの入口開口部を有しており、前記アンチ・ファウリング・システムは、前記ウェット・コンパートメントの中に存在する少なくとも１つの表面をバイオファウリングのない状態に維持するために、アンチ・ファウリング光を放射するための少なくとも１つのアンチ・ファウリング供給源を受け入れて動作させ、前記アンチ・ファウリング・システムは、前記アンチ・ファウリング供給源が前記アンチ・ファウリング・システムの中に受け入れられて、前記アンチ・ファウリング・システムが前記ウェット・コンパートメントとともに使用されているときに、前記少なくとも１つのアンチ・ファウリング供給源の動作を制御するためのコントローラーを含み、前記コントローラーは、
少なくとも１つの表面関連のパラメーター、
少なくとも１つの開口部関連のパラメーター、
バイオファウリングのない状態に維持されるべき前記表面に沿った水の流量、
前記ウェット・コンパートメントの内側の水の温度、
前記ウェット・コンパートメントの内側の水の藻類含有量、
前記ウェット・コンパートメントの内側の水の中の銅イオンの濃度、
前記ウェット・コンパートメントの内側の水の中の塩素の濃度
バイオファウリングのない状態に維持されるべき前記表面の温度、及び、
前記ウェット・コンパートメントの前記少なくとも１つの入口開口部を通る水の流量
のうちの少なくとも１つに関連して、前記少なくとも１つのアンチ・ファウリング供給源の少なくとも１つの動作パラメーターを決定し、
前記アンチ・ファウリング・システムはまた、少なくとも１つのパラメーターの実際の値を検出するための少なくとも１つのセンサーも含み、前記センサーは、前記コントローラーに関連付けられており、前記値についてのフィードバックを前記コントローラーに提供することができるようになっている、アンチ・ファウリング・システム。
【請求項２】
前記アンチ・ファウリング・システムは、ウェット・コンパートメントとともに使用され、前記ウェット・コンパートメントの前記少なくとも１つの入口開口部は、開いた状態及び閉じた状態のうちの一方になっており、前記コントローラーは、所定量のアンチ・ファウリング光を提供するように前記少なくとも１つのアンチ・ファウリング供給源を制御し、それに続いて、前記入口開口部が前記開いた状態から前記閉じた状態にされるときに、前記アンチ・ファウリング供給源のスイッチをオフにするか、又は、単に、最小の程度で前記アンチ・ファウリング供給源を動作させ、前記閉じた状態が維持されている限り、少なくとも所定の期間の間、前記アンチ・ファウリング供給源を活動していないか又は最小の活動の状態に維持する、請求項１に記載のアンチ・ファウリング・システム。
【請求項３】
前記コントローラーは、前記少なくとも１つのパラメーターに関連して、時間を通して、前記少なくとも１つのアンチ・ファウリング供給源によって放射されるアンチ・ファウリング光の強度を決定する、請求項１又は２に記載のアンチ・ファウリング・システム。
【請求項４】
前記コントローラーは、メモリーを含み、前記メモリーには、ファウリング制御モデルが記憶されており、前記ファウリング制御モデルは、前記少なくとも１つのパラメーターに関連する入力に関連して、前記少なくとも１つのアンチ・ファウリング供給源の前記少なくとも１つの動作パラメーターに関連する出力を決定する、請求項１乃至３のいずれか一項に記載のアンチ・ファウリング・システム。
【請求項５】
紫外線光を放射するための少なくとも１つのアンチ・ファウリング供給源を受け入れて動作させる、請求項１乃至４のいずれか一項に記載のアンチ・ファウリング・システム。
【請求項６】
バイオファウリングのない状態に維持されるべき前記表面は、前記ウェット・コンパートメントの実際の構造体の内部表面を含む、請求項１乃至５のいずれか一項に記載のアンチ・ファウリング・システム。
【請求項７】
前記アンチ・ファウリング・システムは、機能的なユニットがその中に配置されているウェット・コンパートメントとともに使用され、バイオファウリングのない状態に維持されるべき前記ウェット・コンパートメントの前記表面は、前記機能的なユニットの外部表面を含む、請求項１乃至６のいずれか一項に記載のアンチ・ファウリング・システム。
【請求項８】
ウェット・コンパートメントを含む船舶であって、前記ウェット・コンパートメントは、水が前記ウェット・コンパートメントに進入することを可能にするための少なくとも１つの入口開口部と、請求項１乃至７のいずれか一項に記載のアンチ・ファウリング・システムとを有している、船舶。
【請求項９】
ウェット・コンパートメントを含む船舶であって、前記ウェット・コンパートメントは、水が前記ウェット・コンパートメントに進入することを可能にするための少なくとも１つの入口開口部と、請求項１乃至５のいずれか一項に記載のアンチ・ファウリング・システムとを有しており、前記船舶は、機械をさらに含み、前記機械の機能的なユニットは、前記ウェット・コンパートメントの中に配置されており、バイオファウリングのない状態に維持されるべき前記ウェット・コンパートメントの中の前記表面は、前記ウェット・コンパートメントの前記実際の構造体の内部表面、及び、前記機械の前記機能的なユニットの外部表面のうちの少なくとも１つを含む、船舶。
【請求項１０】
アンチ・ファウリング・システムがウェット・コンパートメントとともに使用されているときに、前記アンチ・ファウリング・システムの少なくとも１つのアンチ・ファウリング供給源の動作を制御するための方法であって、前記ウェット・コンパートメントは、水が前記ウェット・コンパートメントに進入することを可能にするための少なくとも１つの入口開口部を有しており、前記少なくとも１つのアンチ・ファウリング供給源は、前記ウェット・コンパートメントの中に存在する少なくとも１つの表面をバイオファウリングのない状態に維持するために、アンチ・ファウリング光を放射し、前記方法は、
少なくとも１つの表面関連のパラメーター、
少なくとも１つの開口部関連のパラメーター、
バイオファウリングのない状態に維持されるべき前記表面に沿った水の流量、
前記ウェット・コンパートメントの内側の水の温度、
前記ウェット・コンパートメントの内側の水の藻類含有量、
前記ウェット・コンパートメントの内側の水の中の銅イオンの濃度、
前記ウェット・コンパートメントの内側の水の中の塩素の濃度
バイオファウリングのない状態に維持されるべき前記表面の温度、及び、
前記ウェット・コンパートメントの前記少なくとも１つの入口開口部を通る水の流量
のうちの少なくとも１つに関連して、前記少なくとも１つのアンチ・ファウリング供給源の前記動作の少なくとも１つのパラメーターを決定するステップと、
少なくとも１つのパラメーターの実際の値を検出するステップと、
を有する、方法。
【請求項１１】
前記アンチ・ファウリング・システムは、とりわけ、ウェット・コンパートメントとともに使用され、前記ウェット・コンパートメントの前記少なくとも１つの入口開口部は、開いた状態及び閉じた状態のうちの一方になっており、前記少なくとも１つのアンチ・ファウリング供給源は、所定量のアンチ・ファウリング光を提供するように制御され、それに続いて、前記入口開口部が前記開いた状態から前記閉じた状態にされるときに、前記アンチ・ファウリング供給源のスイッチをオフにするか、又は、単に、最小の程度で前記アンチ・ファウリング供給源を動作させ、前記閉じた状態が維持されている限り、少なくとも所定の期間の間、前記アンチ・ファウリング供給源は、活動していないか又は最小の活動の状態に維持される、請求項１０に記載の方法。
【請求項１２】
アンチ・ファウリング・システムがウェット・コンパートメントとともに使用されているときに、前記アンチ・ファウリング・システムの少なくとも１つのアンチ・ファウリング供給源の動作を制御するためのコントローラーであって、前記ウェット・コンパートメントは、水が前記ウェット・コンパートメントに進入することを可能にするための少なくとも１つの入口開口部を有しており、前記少なくとも１つのアンチ・ファウリング供給源は、前記ウェット・コンパートメントの中に存在する少なくとも１つの表面をバイオファウリングのない状態に維持するために、アンチ・ファウリング光を放射し、前記コントローラーは、
少なくとも１つの表面関連のパラメーター、
少なくとも１つの開口部関連のパラメーター、
バイオファウリングのない状態に維持されるべき前記表面に沿った水の流量、
前記ウェット・コンパートメントの内側の水の温度、
前記ウェット・コンパートメントの内側の水の藻類含有量、
前記ウェット・コンパートメントの内側の水の中の銅イオンの濃度、
前記ウェット・コンパートメントの内側の水の中の塩素の濃度
バイオファウリングのない状態に維持されるべき前記表面の温度、及び、
前記ウェット・コンパートメントの前記少なくとも１つの入口開口部を通る水の流量
のうちの少なくとも１つに関連して、前記少なくとも１つのアンチ・ファウリング供給源の少なくとも１つの動作パラメーターを決定する、コントローラー。